(57)【要約】  【課題】  外部機器からネット接続された時に、あたかも外部機器がＤＶＤレコーダとして扱えるような使い勝手の良い映像信号記録装置を提供する。  【解決手段】  外部機器とネット接続された時に、２つのＭＰＥＧエンコーダ１０２、３０４のうちのＭＰＥＧ４エンコーダ１０２が、オンスクリーン・ディスプレイ（ＯＳＤ）３０９からの映像／音声のモニター出力信号をＭＰＥＧエンコードし、ネット制御部１０３が、ＭＰＥＧ４エンコーダからのＭＰＥＧ４データを、ＬＡＮ端子３１４を介して外部機器に送る。外部機器は、ＤＶＤレコーダ１０１から送られたＭＰＥＧ４データをデコードすることで、モニター出力を視聴することが可能になる。【選択図】  図１
2006191303.tif 000002
【特許請求の範囲】
【請求項１】
入力された映像／音声信号をＭＰＥＧ方式でエンコードする２つ以上のＭＰＥＧエンコーダと、外部機器にネット接続された際にデータのやり取りを制御するネット制御部とを備えた映像信号記録装置であって、
前記外部機器とネット接続された時に、前記ＭＰＥＧエンコーダのうちのひとつは、映像／音声のモニター出力信号をＭＰＥＧエンコードし、前記ネット制御部は、前記ＭＰＥＧエンコーダのうちのひとつからのＭＰＥＧデータを前記外部機器に送ることを特徴とする映像信号記録装置。
【請求項２】
前記映像／音声のモニター出力信号をエンコードするＭＰＥＧの方式がＭＰＥＧ４である請求項１記載の映像信号記録装置。
【請求項３】
前記映像／音声のモニター出力信号をエンコードするＭＰＥＧの方式がＭＰＥＧ２である請求項１記載の映像信号記録装置。
【発明の詳細な説明】
【技術分野】
【０００１】
本発明は、ＤＶＤやハードディスクなどを用いたＭＰＥＧ圧縮方式の映像信号記録装置（以下、ＤＶＤレコーダと称する）に関するものである。
【背景技術】
【０００２】
ＤＶＤレコーダは、多機能化しており、ネット接続をしてパソコンや携帯電話などの外部機器から録画予約やデッキ操作、番組視聴が可能になっているものがある（例えば、非特許文献１参照）。なお、ＤＶＤレコーダは、ハードディスク（ＨＤＤ）を搭載したハードディスク一体型のものが主流になってきている。ＤＶＤレコーダと表記した場合、ハードディスク一体型ＤＶＤレコーダも含んでいる。
【０００３】
図３は、従来のＤＶＤレコーダの構成例を示すブロック図である。図３において、ＤＶＤレコーダ３０１は、アンテナ入力端子３１２からの映像／音声入力信号の記録および再生を行い、再生された映像／音声をモニター出力端子３１３から出力し、また、ＤＶＤレコーダ３０１はＬＡＮ端子３１４を有し、外部機器と接続が可能となっている。
【０００４】
記録時には、アンテナ入力端子３１２からの映像／音声入力信号は、チューナー３０２に入力され、映像信号と音声信号に分離される。チューナー３０２から出力される映像信号と音声信号は、Ａ／Ｄ３０３に入力され、それぞれ、アナログ信号からデジタル信号に変換される。デジタル信号に変換された映像信号と音声信号は、ＭＰＥＧ２エンコーダ３０４でＭＰＥＧ２にエンコードされるとともに、ＭＰＥＧ４エンコーダ３０５でＭＰＥＧ４にエンコードされる。ＭＰＥＧ２にエンコードされたデータおよびＭＰＥＧ４にエンコードされたデータは、ストリーム制御部３０６に入力される。ストリーム制御部３０６からＤＶＤ／ＨＤＤドライブ３０７にＭＰＥＧ２およびＭＰＥＧ４のデータが送られ、ＤＶＤ／ＨＤＤに記録される。
【０００５】
再生時には、ＤＶＤ／ＨＤＤドライブ３０７からストリーム制御部３０６にＭＰＥＧ２またはＭＰＥＧ４のデータが入力される。ＭＰＥＧ２またはＭＰＥＧ４のデータはストリーム制御部３０６を介してＭＰＥＧデコーダ３０８に入力され、ＭＰＥＧのデータから映像／音声信号にデコードされる。ＭＰＥＧデコーダ３０８は、ＭＰＥＧ２およびＭＰＥＧ４のデータのデコードが可能である。デコードされた映像／音声信号は、オンスクリーン・ディスプレイ（ＯＳＤ）３０９で、映像部に信号が付加される。また、ＯＳＤ３０９には、Ａ／Ｄ３０３からの映像／音声信号も入力され、そこで、チューナー３０２からのスルー出力信号と再生信号との切り替えが行われる。ＯＳＤ３０９からの映像／音声出力信号は、Ｄ／Ａ３１０でデジタル信号からアナログ信号にそれぞれ変換され、アナログ信号に変換された映像／音声信号は、ＤＶＤレコーダ３０１からモニター出力端子３１３を介してモニターやＴＶに出力される。
【０００６】
また、ＬＡＮ端子３１４を介して、ネット制御部３１１により、パソコンや携帯電話などの外部機器からＤＶＤレコーダ３０１の操作やＭＰＥＧ２やＭＰＥＧ４のデータの再生が可能である。
【非特許文献１】Ｐａｎａｓｏｎｉｃ  ＤＶＤビデオレコーダ  ＤＭＲ−Ｅ５００Ｈ取扱説明書
【発明の開示】
【発明が解決しようとする課題】
【０００７】
しかしながら、上述のような従来のＤＶＤレコーダ３０１では、外部機器からＬＡＮ端子３１４を介してＤＶＤレコーダ３０１を操作する時、映像／音声出力信号をモニターできないため、使い勝手が悪かった。録画予約の情報や、録画されている番組の内容の表示なども、ネット制御部３１１を通じて取り込んだデータから、外部機器側で再構成する必要がある、という問題を有していた。
【０００８】
本発明は、前記従来の問題点を解決するもので、その目的は、外部機器からネット接続された時に、あたかも外部機器がＤＶＤレコーダとして扱えるような使い勝手の良い映像信号記録装置を提供することにある。
【課題を解決するための手段】
【０００９】
前記の目的を達成するため、本発明に係る映像信号記録装置は、入力された映像／音声信号をＭＰＥＧ方式でエンコードする２つ以上のＭＰＥＧエンコーダと、外部機器にネット接続された際にデータのやり取りを制御するネット制御部とを備えた映像信号記録装置であって、外部機器とネット接続された時に、ＭＰＥＧエンコーダのうちのひとつは、映像／音声のモニター出力信号をＭＰＥＧエンコードし、ネット制御部は、ＭＰＥＧエンコーダのうちのひとつからのＭＰＥＧデータを外部機器に送る構成を有する。
【００１０】
この構成によれば、外部機器から映像信号記録装置としてのＤＶＤレコーダの操作を行う時、ＯＳＤも含めたモニター出力を見ながら操作することができる。
【発明の効果】
【００１１】
本発明によれば、外部機器からネットを介して、ＤＶＤレコーダの操作を行う時、ＯＳＤも含めたモニター出力を見ながら操作できるため、非常に使い勝手がよい。また、外部機器側で、録画予約の情報や、録画されている番組の内容の表示などを再構成して表示する必要がなく、ＯＳＤの表示をＭＰＥＧエンコードして表示することができるので、ＤＶＤレコーダのすべての機能を使用することができる。
【発明を実施するための最良の形態】
【００１２】
以下、本発明の好適な実施の形態について、図面を参照しながら説明する。
【００１３】
（実施の形態１）
図１は、本発明の実施の形態１に係る映像信号記録装置としてＤＶＤレコーダ１０１の一構成例を示すブロック図である。なお、図１において、従来例の説明で参照した図３と同じ構成および機能を有する部分については、同じ符号を付して説明を省略する。
【００１４】
本実施の形態が従来例と異なるのは、ＯＳＤ３０９からの映像／音声のモニター出力信号がＭＰＥＧ４エンコーダ１０２に供給され、ＭＰＥＧ４エンコーダ１０２でＭＰＥＧデータにエンコードされて、ＭＰＥＧデータがネット制御部１０３を介して外部機器に送られる点にある。
【００１５】
記録時には、アンテナ入力端子３１２からの映像／音声入力信号は、チューナー３０２に入力され、映像信号と音声信号に分離される。チューナー３０２から出力される映像信号と音声信号は、Ａ／Ｄ３０３に入力され、それぞれ、アナログ信号からデジタル信号に変換される。デジタル信号に変換された映像信号と音声信号は、ＭＰＥＧ２エンコーダ３０４でＭＰＥＧ２にエンコードされるとともに、ＭＰＥＧ４エンコーダ１０２でＭＰＥＧ４にエンコードされる。ＭＰＥＧ２にエンコードされたデータおよびＭＰＥＧ４にエンコードされたデータは、ストリーム制御部３０６に入力される。ストリーム制御部３０６からＤＶＤ／ＨＤＤドライブ３０７にＭＰＥＧ２およびＭＰＥＧ４のデータが送られ、ＤＶＤ／ＨＤＤに記録される。
【００１６】
再生時には、ＤＶＤ／ＨＤＤドライブ３０７からストリーム制御部３０６にＭＰＥＧ２またはＭＰＥＧ４のデータが入力される。ＭＰＥＧ２またはＭＰＥＧ４のデータは、ストリーム制御部３０６を介してＭＰＥＧデコーダ３０８に入力され、ＭＰＥＧのデータから映像／音声信号にデコードされる。ＭＰＥＧデコーダ３０８は、ＭＰＥＧ２およびＭＰＥＧ４のデータのデコードが可能である。デコードされた映像／音声信号は、オンスクリーン・ディスプレイ（ＯＳＤ）３０９で、映像部に信号が付加される。また、ＯＳＤ３０９には、Ａ／Ｄ３０３からの映像／音声信号も入力され、そこで、チューナー３０２からのスルー出力信号と再生信号との切り替えが行われる。ＯＳＤ３０９からの映像／音声出力信号は、Ｄ／Ａ３１０でデジタル信号からアナログ信号にそれぞれ変換され、アナログ信号に変換された映像／音声信号は、ＤＶＤレコーダ１０１からモニター出力端子３１３を介してモニターやＴＶに出力される。
【００１７】
また、ＬＡＮ端子３１４を介して、ネット制御部１０３により、パソコンや携帯電話などの外部機器からＤＶＤレコーダ１０１の操作やＭＰＥＧ２やＭＰＥＧ４のデータの再生が可能である。
【００１８】
上記に加えて、本実施の形態では、ＯＳＤ３０９からのモニター出力信号がＭＰＥＧ４エンコーダ１０２に供給され、ＭＰＥＧ４エンコーダ１０２でＭＰＥＧ４データにエンコードされて、ＭＰＥＧ４データがネット制御部１０３からモニター出力端子３１４を介してネット接続された外部機器に送られる。外部機器は、ＤＶＤレコーダ１０１から送られたＭＰＥＧ４データをデコードすることにより、モニター出力を視聴することが可能になる。
【００１９】
以上のように、本実施の形態によれば、外部機器からネットを介して、ＤＶＤレコーダの操作を行う時、ＯＳＤも含めたモニター出力を見ながら操作できるため、非常に使い勝手がよい。また、外部機器側で、録画予約の情報や、録画されている番組の内容の表示などを再構成して表示する必要がなく、ＯＳＤの表示をＭＰＥＧエンコードして表示することができるので、ＤＶＤレコーダのすべての機能を使用することができる。
【００２０】
また、チューナーからのスルーの映像／音声信号を選択することにより、ＴＶ代わりにもなる。
【００２１】
また、ＭＰＥＧ２のデコード機能がなく、ＭＰＥＧ４のデコード機能のみを有する外部機器でも、モニター出力信号をＭＰＥＧデータに変換するＭＰＥＧエンコードがＭＰＥＧ４であるので、ＭＰＥＧ２で記録された番組を視聴することが可能になる。
【００２２】
また、従来、ＭＰＥＧ４の方式で記録された番組の再生では、早送り再生や巻き戻し再生で画面表示をすることができなかったが、ＭＰＥＧ２で記録された番組を早送り再生や巻き戻し再生した後に、ＭＰＥＧ４にエンコードすることにより、早送り再生や巻き戻し再生時も画面に表示することが可能になる。
【００２３】
上記のような使い方をする場合には、ＭＰＥＧ２とＭＰＥＧ４のデータを同時に記録する必要がなく、ＭＰＥＧ２のデータだけを記録していればよいことになる。
【００２４】
（実施の形態２）
図２は、本発明の実施の形態２に係る映像記録装置としてのＤＶＤレコーダ２０１の一構成例を示すブロック図である。なお、図２において、従来例の説明で参照した図３と同じ構成および機能を有する部分については、同じ符号を付して説明を省略する。
【００２５】
本実施の形態が従来例と異なるのは、ＯＳＤ３０９からの映像／音声のモニター出力信号がＭＰＥＧ２エンコーダ２０４に供給され、ＭＰＥＧ２エンコーダ２０４でＭＰＥＧデータにエンコードされて、ＭＰＥＧデータがネット制御部２０５を介して外部機器に送られる点にある。
【００２６】
記録時には、アンテナ入力端子３１２からの映像／音声入力信号は、デュアルチューナー２０２に入力され、２つの映像信号と音声信号に分離される。デュアルチューナー２０２から出力される２つの映像信号と音声信号は、Ａ／Ｄ２０３とＡ／Ｄ３０３に供給され、それぞれ、アナログ信号からデジタル信号に変換される。Ａ／Ｄ３０３でデジタル信号に変換された映像信号と音声信号は、ＭＰＥＧ２エンコーダ３０４で、ＭＰＥＧ２のデータにエンコードされる。また、Ａ／Ｄ２０３でデジタル信号に変換された映像信号と音声信号は、ＭＰＥＧ２エンコーダ２０４でＭＰＥＧ２のデータにエンコードされる。ＭＰＥＧ２にエンコードされた２つのデータは、ストリーム制御部３０６に入力される。ストリーム制御部３０６からＤＶＤ／ＨＤＤドライブ３０７に２つのＭＰＥＧ２のデータが送られ、ＤＶＤ／ＨＤＤに記録される。
【００２７】
再生時には、ＤＶＤ／ＨＤＤドライブ３０７からストリーム制御３０６にＭＰＥＧ２データが入力される。ＭＰＥＧ２のデータは、ストリーム制御部３０６を介してＭＰＥＧデコーダ３０８に入力され、ＭＰＥＧのデータから映像／音声信号にデコードされる。デコードされた映像／音声信号は、オンスクリーン・ディスプレイ（ＯＳＤ）３０９で、映像部に信号が付加される。また、ＯＳＤ３０９には、Ａ／Ｄ３０３からの映像／音声信号も入力され、そこで、デュアルチューナー２０２からのスルー出力信号と再生信号との切り替えが行われる。ＯＳＤ３０９からの映像／音声出力信号は、Ｄ／Ａ３１０でデジタル信号からアナログ信号にそれぞれ変換され、アナログ信号に変換された映像／音声信号は、ＤＶＤレコーダ１０１からモニター出力端子３１３を介してモニターやＴＶに出力される。
【００２８】
また、ＬＡＮ端子３１４を介して、ネット制御部２０５により、パソコンや携帯電話などの外部機器からＤＶＤレコーダ２０１の操作やＭＰＥＧ２データの再生が可能である。
【００２９】
上記に加えて、本実施の形態では、ＯＳＤ３０９からのモニター出力信号がＭＰＥＧ２エンコーダ２０４に供給され、ＭＰＥＧ２エンコーダ２０４でＭＰＥＧ２データにエンコードされて、ＭＰＥＧ２データがネット制御部２０５からモニター出力端子３１４を介してネット接続された外部機器に送られる。外部機器は、ＤＶＤレコーダ２０１から送られたＭＰＥＧ２データをデコードすることにより、モニター出力を視聴することが可能になる。
【００３０】
以上のように、本実施の形態によれば、外部機器からネットを介して、ＤＶＤレコーダの操作を行う時、ＯＳＤも含めたモニター出力を見ながら操作できるため、非常に使い勝手がよい。また、外部機器側で、録画予約の情報や、録画されている番組の内容の表示などを再構成して表示する必要がなく、ＯＳＤの表示をＭＰＥＧエンコードして表示することができるので、ＤＶＤレコーダのすべての機能を使用することができる。
【産業上の利用可能性】
【００３１】
本発明にかかる映像信号記録装置は、外部機器からのネット接続時の使い勝手を大幅に改善することが可能であるという利点を有し、ＤＶＤやハードディスクなどを用いたＭＰＥＧ圧縮方式の映像信号記録装置として有用である。
【図面の簡単な説明】
【００３２】
【図１】本発明の実施の形態１に係る映像信号記録装置としてのＤＶＤレコーダの一構成例を示すブロック図
【図２】本発明の実施の形態２に係る映像信号記録装置としてのＤＶＤレコーダの一構成例を示すブロック図
【図３】従来の映像信号記録装置としてのＤＶＤレコーダの構成例を示すブロック図
【符号の説明】
【００３３】
１０１、２０１、３０１  ＤＶＤレコーダ
１０２、３０５  ＭＰＥＧ４エンコーダ
１０３、２０５、３１１  ネット制御部
２０２  デュアルチューナー
２０３、３０３  Ａ／Ｄ
２０４、３０４  ＭＰＥＧ２エンコーダ
３０２  チューナー
３０６  ストリーム制御部
３０７  ＤＶＤ／ＨＤＤドライブ
３０８  ＭＰＥＧデコーダ
３０９  ＯＳＤ
３１０  Ｄ／Ａ
３１２  アンテナ入力端子
３１３  モニター出力端子
３１４  ＬＡＮ端子
【図１】
2006191303.tif 000003
【図２】
2006191303.tif 000004
【図３】
2006191303.tif 000005